(57)【特許請求の範囲】
【請求項１】
ディスペンサー（１０）への電力送達を管理するためのシステムであって、
より低電力のゼロ正味電圧（ＺＮＶ）電力源に作動可能に接続可能なパワーコントローラー（２０）であって、より低電力のＺＮＶ電力源が、低電力直流（ＬＰＤＣ）電力源（１４ａ）によって、スイッチング回路（１６）を介して電力を供給され、前記スイッチング回路及びＬＰＤＣ電力源が、作動可能に交換可能なコンポーネントに接続され、着脱可能な電気的インターフェースを介してコントローラーに接続可能であり、前記ＺＮＶ電力源をより高電圧の直流（ＨＶＤＣ）電力源に変換するための電力整流回路（ＰＲＣ）（２０ｃ）を有するパワーコントローラー（２０ｅ，２０ｆ）と、
前記ＨＶＤＣ電力源に作動接続された少なくとも１つのエネルギー蓄積システムであって、ＨＶＤＣ電力を受け取って該少なくとも１つのエネルギー蓄積システム内に蓄積するための少なくとも１つのエネルギー蓄積システム（２２ｆ、２２ｇ）と、
前記少なくとも１つのエネルギー蓄積システムに作動接続されたディスペンサー負荷（２２ｋ）と、
を備える、ディスペンサーへの電力送達を管理するためのシステム。
【請求項２】
前記コントローラーは、ＨＶＤＣ電力を前記少なくとも１つのエネルギー蓄積システム（２２ｆ、２２ｇ）に選択的に誘導して、前記少なくとも１つのエネルギー蓄積システム（２２ｆ、２２ｇ）を充電する手段と、負荷需要に基づいて、前記少なくとも１つのエネルギー蓄積システムからの電力を前記ディスペンサー負荷（２２ｋ）に選択的に誘導する手段（２２ｊ、２２ｊ’、２２ｊ’’’）とを備える、請求項１に記載のシステム。
【請求項３】
前記エネルギー蓄積システム（２２ｆ、２２ｇ）は、少なくとも１つのキャパシターを備え、
前記システムは、前記ＨＶＤＣ電力源に作動接続された補助電力セル（１８ｅ）であって、ＨＶＤＣ電力を受け取って、該補助電力セル内に蓄積するための補助電力セル（１８ｅ）を更に備え、前記コントローラーは、ＨＶＤＣ電力を、前記少なくとも１つのキャパシター及び前記補助電力セルのそれぞれに選択的に誘導して、前記少なくとも１つのキャパシター及び前記補助電力セルを充電する手段（２２ｊ、２２ｊ’、２２ｊ’’、２２ｊ’’’）と、負荷需要に基づいて、前記少なくとも１つのキャパシター及び前記補助電力セルからの電力を前記ディスペンサー負荷に選択的に誘導する手段とを備える、
請求項１又は２に記載のシステム。
【請求項４】
前記コントローラーは、前記少なくとも１つのキャパシターと前記補助電力セルとの間に作動接続された少なくとも１つのスイッチであって、電力を前記少なくとも１つのキャパシター又は前記補助電力セルのいずれかに選択的に誘導して、前記少なくとも１つのキャパシター又は前記補助電力セルのいずれかを充電するための少なくとも１つのスイッチを備える、請求項３に記載のシステム。
【請求項５】
前記コントローラーは、前記少なくとも１つのキャパシター及び前記補助電力セルに作動接続された電圧測定手段であって、前記少なくとも１つのキャパシター及び前記補助電力セルの前記電圧を測定する電圧測定手段を備え、前記コントローラーは、前記少なくとも１つのキャパシター及び前記補助電力セルの実際の測定電圧に基づいて、前記ＨＶＤＣ電力源から前記少なくとも１つのキャパシター又は前記補助電力セルへの電力送達を優先し、
前記コントローラーは、選択的に、前記少なくとも１つのキャパシター及び前記補助電力セルの実際の測定電圧に基づいて、前記少なくとも１つのキャパシター及び前記補助電力セルから前記ディスペンサー負荷への電力送達を優先する、請求項３又は４に記載のシステム。
【請求項６】
ディスペンサー負荷需要がないとき、前記コントローラーは、ＨＶＤＣ電力を前記少なくとも１つのキャパシター及び前記補助電力セルのいずれかに誘導して、前記少なくとも１つのキャパシター及び前記補助電力セルをトリクル充電する、請求項３〜５のいずれか１項に記載のシステム。
【請求項７】
前記ＺＮＶ電力源は、等しいが逆の電圧の正及び負の交番電圧パルスを含み、前記システムは、前記スイッチング回路に作動接続されたデータ回路を更に備え、該データ回路内のデータは、該データ回路内のデータを表すより低い電圧を有する正及び負の交番電圧パルスとして、前記ＺＮＶ電力源の前記正及び負の交番電圧パルスに混合される、請求項１〜６のいずれかに記載のシステム。
【請求項８】
前記着脱可能な電気的インターフェースは、前記交換可能コンポーネントと前記ディスペンサーとの間に非移動型電気接点を備える、請求項１〜７のいずれかに記載のシステム。
【請求項９】
前記着脱可能な電気的インターフェースは、前記交換可能コンポーネントと前記ディスペンサーとの間に移動型接点を備える、請求項１〜７のいずれかに記載のシステム。
【請求項１０】
前記システムは、再充電不能なバッテリーである補助電力セルを備え、
前記コントローラ（２０）は、再充電不能なバッテリーである補助電力セルから電力の伝達を可能にするように構成されている、請求項１に記載のシステム。
【請求項１１】
前記交換可能コンポーネント（１２）は、動作中に前記ディスペンサーに対して移動し、前記交換可能コンポーネント及び前記ディスペンサーは、該交換可能コンポーネント及び該ディスペンサーに作動接続されたエネルギー回収システム（１６ｂ、１６ｃ、１６ｄ）であって、前記少なくとも１つのエネルギー蓄積システム及び／又は補助電力セル内に運動エネルギーを取り込むためのエネルギー回収システムを共同で備える、請求項９又は１０に記載のシステム。
【請求項１２】
より低電力のゼロ正味電圧（ＺＮＶ）電力源を、ディスペンサーへの電力送達を管理するパワーコントローラーを有するシステムへの電力送達を管理するためのシステムに供給するための交換可能なコンポーネントであって、
システムのコントローラーとともに着脱可能な電気的インターフェースを形成する着脱可能な電気的コンタクトと、
低電力直流（ＬＰＤＣ）電力源と、
ＬＰＤＣ電力源をＺＮＶ電力源に変換し、着脱可能な電気的コンタクトを介して、ＺＮＶ電力をシステムのコントローラーに供給するスイッチング回路と、
電気的コンタクトがシステムに取り付けられた時に、システムは、
前記ＺＮＶ電力源をより高電圧の直流（ＨＶＤＣ）電力源に変換し、
前記ＨＶＤＣ電力源からのエネルギーを少なくとも１つのエネルギー蓄積システムに蓄積するように構成されており、
蓄積されたエネルギーを使用するディスペンサー負荷に電力を供給する、交換可能なコンポーネント。
【請求項１３】
請求項１に記載のシステムと、請求項１２に記載の交換可能なコンポーネントとを備える、ディスペンサー装置。
【請求項１４】
ディスペンサー負荷（２２ｋ）への電力送達を管理するとともに、ディスペンサーと該ディスペンサー（１０）の交換可能コンポーネント（１２）との間の電気的インターフェース（１４ｂ、１４ｃ、１８ｂ、１８ｃ）を介して電力を転送するためのシステムであって、
より低電力のゼロ正味電圧電力源は、前記交換可能コンポーネント（１２）に作動接続された交換可能コンポーネントコントローラー及び第１の電力セル（１４ａ）であって、該交換可能コンポーネントコントローラーは、該第１の電力セルからの直流電力をゼロ正味電圧（ＺＮＶ）電力信号に変換するための電力反転回路（ＰＩＣ）を有する、交換可能コンポーネントコントローラー及び第１の電力セルを備え、
電力整流回路は、
前記ディスペンサーに作動接続された、前記着脱可能な電気的インターフェースを介して前記ＺＮＶ電力信号を受け取るための第１の回路（２０）であって、前記ＺＮＶ電力信号をより高電圧の直流（ＨＶＤＣ）電力に変換するための第１の回路を備え
前記エネルギー蓄積システムは、少なくとも１つの電力蓄積デバイスを備え、
前記パワーコントローラーは、
前記第１の回路、前記少なくとも１つの電力蓄積デバイス、及び前記ディスペンサー負荷に作動接続された第２のコントローラーを備え、
前記第２のコントローラーは、
ＨＶＤＣ電力を前記少なくとも１つの電力蓄積デバイスに選択的に誘導して、前記少なくとも１つの電力蓄積デバイスを充電する手段と、
前記少なくとも１つの電力蓄積デバイス内の蓄積された電力を前記ディスペンサー負荷（２２ｋ）に選択的に誘導する手段（２２ｊ、２２ｊ’、２２ｊ’’、２２ｊ’’’）と、
を有し、
前記第２のコントローラーに作動接続された補助電力セル（１８ｅ）を更に備え、前記第２のコントローラーは、ＨＶＤＣ電力を前記補助電力セルに選択的に誘導する手段を有する、請求項１〜１１のいずれかに記載のシステム。
【請求項１５】
前記第２のコントローラーは、少なくとも１つのパワー蓄積デバイスのキャパシターと前記補助電力セルとの間に作動接続された少なくとも１つのスイッチ（２２ｊ、２２ｊ’’）であって、電力を前記キャパシター又は前記補助電力セルのいずれかに選択的に誘導して、前記キャパシター又は前記補助電力セルのいずれかを充電するための少なくとも１つのスイッチを備える、請求項１４に記載のシステム。
【請求項１６】
前記第２のコントローラーは、前記第２のコントローラーの電圧測定手段によって測定され、前記キャパシター及び前記補助電力セルの実際の測定電圧に基づいて、前記ＨＶＤＣ電力源から前記キャパシター又は前記補助電力セルへの電力送達を優先し、
前記電圧測定手段は、選択的に前記キャパシター及び前記補助電力セルに作動接続され、前記キャパシター及び前記補助電力セルの電圧を測定し、
前記キャパシター及び前記補助電力セルの実際の測定電圧に基づいて、前記キャパシター及び前記補助電力セルから前記ディスペンサー負荷への電力送達を優先し、
ディスペンサー負荷需要がないとき、前記第２のコントローラーは、ＨＶＤＣ電力を前記キャパシター又は前記補助電力セルのうちの一方に選択的に誘導して、前記キャパシター又は前記補助電力セルをトリクル充電するように構成されている、請求項１５に記載のシステム。
【請求項１７】
交換可能コンポーネント上の第１のエネルギー蓄積システムから第２のコンポーネント上の第２のエネルギー蓄積システムに、前記交換可能コンポーネントと前記第２のコンポーネントとの間の着脱可能な電気的インターフェースを介して電力を転送するとともに、前記第２のコンポーネント上で、該第２のコンポーネントに対して構成された電気負荷に送達するための電力を管理する方法であって、
ａ．前記交換可能コンポーネント（１２）上のより低電圧の電力直流（ＬＰＤＣ）電力源（１４ａ）からの直流をより低電力のゼロ正味電圧（ＺＮＶ）信号に反転するステップと、
ｂ．前記ＺＮＶ信号を前記着脱可能な電気的インターフェース（１４ｂ、１４ｃ、１８ｂ、１８ｃ）を介して前記第２のコンポーネント（１０）に転送するステップと、
ｃ．前記ＺＮＶ信号をより高電圧の直流（ＨＶＤＣ）電力に整流するステップと、
ｄ．前記ＨＶＤＣ電力を用いて前記第２のエネルギー蓄積システム（２２ｆ、２２ｇ）を充電するステップと、
ｅ．ユーザー需要に基づいて、前記第２のエネルギー蓄積システムから前記電気負荷にエネルギーを解放するステップと、
を含む、方法。
【発明の詳細な説明】
【技術分野】
【０００１】
ディスペンサー用の電力管理システムが記載されている。このシステムは、より低電力のゼロ正味電圧（zero net voltage）（ＺＮＶ）電力源に接続されたコントローラーを備える。電力整流回路（ＰＲＣ）が、ＺＮＶ電力をより高電圧の直流（ＨＶＤＣ）電力に変換する。ＨＶＤＣ電力源に接続されたエネルギー蓄積システムが、ＨＶＤＣ電力を受け取り、エネルギー蓄積システム内に蓄積する。このＨＶＤＣ電力は、エネルギー蓄積システムに接続されたディスペンサーモーター負荷に選択的に提供される。このシステムは、電力を使い捨て製品上の低電力バッテリー源からディスペンサーに転送する問題に対して効果的な解決策を提供するだけでなく、特により高い湿度の環境において使い捨て製品とディスペンサーとの間の電気インターフェースにおける腐食を最小にするシステムも提供する。
【背景技術】
【０００２】
石鹸、消臭剤（air care）、及びペーパータオル等の製品用のディスペンシングシステムが、世界中の何百万もの個人及び公共の洗面所設備に広く用いられている。よく知られているように、そのようなシステムは、石鹸又はペーパータオルをディスペンス（dispense：小出し供給）するためにシステムとの種々のタイプのユーザーインタラクションを必要とする手動システム、半自動システム、又は自動システムとすることができる。手動システムは、通常、ユーザーがボタン、クランクアーム等を物理的に変位させて、材料をディスペンスするように機械部品を動かすことを必要とし、半自動システムは、ユーザーがボタンにタッチして機械部品の電気的活性化を開始することを必要とする場合があり、自動システムは、ユーザーの存在を検出して機械部品の電気的活性化を開始する場合がある。
【０００３】
公衆衛生の観点から、公共の洗面所設備に半自動ディスペンシングシステム及び好ましくは全自動ディスペンシングシステムの展開を増やして、主として、ディスペンシング機器との物理的なユーザー接触を低減又は最小にし、それによって、ユーザー間での病原体の拡散のリスクを低減したいという要望がますます高まっている。
【０００４】
しかしながら、半自動ディスペンシングシステム及び自動ディスペンシングシステムは、不動産所有者及び管理者に、特に、数百又は数千もの洗面所を自らの不動産内に有する場合がある大きな建物又は設備の不動産所有者又は管理者にとって、課題を提供する。特に、よく知られているように、ディスペンシングシステムは、消費可能製品、例えば、ペーパータオル製品又は液状石鹸製品が消費されるので、その製品を定期的に交換しなければならないことを要する。したがって、不動産所有者／管理者は、消費可能製品をディスペンサー内に補充することを担当するかなりの数の人員を雇うことになる。
【０００５】
半自動ディスペンシングシステム及び自動ディスペンシングシステムの場合、これらのディスペンサーのほとんどは、単一又は複数のバッテリーを利用して、ディスペンシングサイクルを完了するエネルギーを提供する。ほとんどの設計では、消費可能製品の消費のレートは、バッテリー内の電力消費レートよりもかなり大きい。すなわち、ディスペンサー内のペーパータオルは、一日に数回交換しなければならない場合があるのに対して、多くの設計では、ディスペンサー内のバッテリーは、月１回の時間スケールで取り替えするだけでよい場合がある。しかしながら、洗面所が異なれば、使用率もかなり異なる場合があり、そのため、或る洗面所におけるバッテリーは、近くの洗面所におけるバッテリーよりも速く終了する場合がある。その結果、時間の経過とともに、ディスペンサー内のバッテリーの終了は、本質的にランダムな事象になるので、複数の洗面所にわたって、終了したバッテリーに効率的に対処することは、多くの場合、非常に困難である。重要なことに、バッテリーが必要なときに交換されない場合、ユーザーは、多くの場合、ディスペンシング機器に不満を感じ、ついには、その機器の複数の表面を軽くたたいて、その機器をその後、清掃しなければならなくしてしまう場合もあれば、さらに悪いことには、ディスペンサーに損傷を与える場合もある。加えて、消耗品の製造業者は、動作不能なディスペンシング機器が消費可能製品をディスペンスしないことによって収入も失っている。
【０００６】
消費者が、特定のタイプのディスペンサーとインタラクトしたこれまでの自身の経験に基づいて幾つかのタイプのディスペンサーを避けることを実際に学習する場合があるという点で、これらの要因のそれぞれは、これらのタイプのディスペンサーの採用及び使用に影響を与える可能性がある。その結果、ディスペンサーの信頼性の改善が、そのような製品の採用及び使用に重要な影響を与える可能性がある。
【０００７】
さらにまた、病院又は空港等の大きな不動産では、バッテリーを交換するのに必要とされる時間がかなりのものとなる。多くのディスペンサーでは、バッテリーを交換するには、終了したバッテリーを除去してそれらのバッテリーを交換するために、かなりの数のステップを要しなければならない。例えば、バッテリーコンパートメントは、多くの場合、特に、バッテリーを除去して交換するのに、消耗品を交換する比較的単純なステップと比べて、追加のキー又はステップを必要とする。理解することができるように、動作不能なディスペンサーの認識及びそれへの対処の双方を行わなければならない作業員の観点から、コストはかなり大きくなる。
【０００８】
これらの問題への１つの解決策は、バッテリーを、別個のコンポーネントとして又はそのパッケージングの一体のコンポーネントとして、消費可能製品内に組み込むことである。別個のコンポーネントのとき、消費可能製品の各パッケージがバッテリーを備え、したがって、その消耗品が交換されるごとに、バッテリーは、交換のために利用可能となる。特許文献１に記載されているように、バッテリーは、消費可能パッケージングの一体のコンポーネントを形成することができ、この場合、ユーザーは、新しい消費可能パッケージングをディスペンサー内に単に挿入することによって消耗品及びバッテリーの双方を交換する。すなわち、消費可能製品がディスペンサー内で交換されるごとに、ディスペンサーは、このディスペンサーを動作させる新しいバッテリーを受け取る。通常、これらの設計では、消費可能製品パッケージングは、電力が消費可能製品パッケージングからディスペンサーのコントローラー／駆動システムに転送可能になるように、ディスペンサー上の対応する電極に摩擦接続する２つの電極を有する。
【先行技術文献】
【特許文献】
【０００９】
【特許文献１】米国特許第６，２０９，７５２号
【発明の概要】
【発明が解決しようとする課題】
【００１０】
消耗品とバッテリーとの間の異なる保守点検スケジュールを整合させることに関して上記で説明したような複数の問題は克服されているが、この技術から生じる１つの特定の問題は、特に、ディスペンサー及び補充品の双方が、消臭剤ディスペンサー製品又は石鹸ディスペンサー製品等の中に固定されているとき、電極腐食の可能性があるということである。すなわち、今日のディスペンシング機器は、通常、一般的には洗面所の比較的湿気の多い環境に設置される低電圧及び直流のデバイスであるので、これらの条件は、金属マイグレーション、ガルバニック腐食を助長し、及び／又は接点間の腐食若しくは抵抗の増大を引き起こすことが知られている。電気接点間の抵抗が増大すると、システムの効率が減少し、これによって、システム性能が早い時期に減少し及び／又は機能しなくなる場合がある。換言すれば、この技術は、バッテリーを効率的に替えるという１つの問題を克服したが、ディスペンシングシステムに他の問題を引き起こす可能性がある。したがって、バッテリーを消費可能製品と組み合わせるが、電極腐食をもたらさない電力システムが必要とされている。
【００１１】
別の態様では、ディスペンシングシステムを製造する企業が、自社のディスペンサーの設計の際に、自社のディスペンサー内に他の製造業者の消費可能製品の使用を防止することによって自社の投資を保護する必要性が引き続き存在している。すなわち、知られているように、製造業者がディスペンサーを商業化するとき、顧客への消耗品のその後の販売が、ディスペンサーの開発コストの支払いを保証するだけの持続的な収入／利益をもたらすであろうとの予想に基づいて、そのようなディスペンサーは、通常、比較的低コストで販売される。その結果、ディスペンシングシステム内で認可されていない消費可能製品の使用を効率的に防止するとともに、消費可能製品とディスペンサーとの間に効果的なキーを提供するシステムの必要性が引き続き存在している。
【００１２】
さらにまた、システム内の電力をより効果的に管理するシステムが必要とされている。より具体的には、上述したように、電力セル（例えば、バッテリー）を、上記で説明したように消費可能製品に組み込むことができるが、消費可能製品内にあるバッテリーにおいて浪費され得る電力量を最小にすることが必要とされている。
【００１３】
例えば、石鹸カートリッジ等の消費可能製品が十分に用いられたとき、そのカートリッジ内において関連付けられたバッテリーが同時に十分に消耗しており、バッテリーは、処分されるときに消耗状態にあるようになっていることを確保することが必要とされている。すなわち、バッテリーが僅かにしか消耗していないときにバッテリーを廃棄することは望ましくない。
【００１４】
さらにまた、ディスペンサー内の保守可能なバッテリーの必要性を解消又は低減し、ディスペンシングシステム内の異なるロケーション間で電力を効率的な方法で効果的に転送することができるシステムを提供することが必要とされている。すなわち、オペレーターがディスペンサーの電力要件に関してディスペンサー自体と関与する必要性を効果的に解消するシステムを有することが望ましい。
【００１５】
さらにまた、ユーザーがディスペンサーに接近した時からのアクティブ化における遅延及び製品がディスペンスされるのに要する時間を最小にするエネルギー管理システムが必要とされている。すなわち、よく知られているように、自動ディスペンサー又は半自動ディスペンサーが、ほぼ０．２秒〜０．３秒内に製品のディスペンスを開始しない場合、消費者は、通常、ディスペンサーが動作していない可能性があることを示すものとしてこの遅延に反応し、これは、その後、ディスペンサーとの不満のある又は不適切なインタラクションをもたらす場合がある。
【００１６】
さらにまた、消耗品内の低電圧／低電流電力源を、ディスペンシングシステム内のより高電流のモーター内で効果的に利用することができるように調整することを迅速に可能にすることができるエネルギーシステムが必要とされている。
【００１７】
さらにまた、ディスペンシングシステム内の漂遊エネルギーを取り込んで、全体的なエネルギー管理効率を改善することができることも必要とされている。その上、より大きなバッテリーの処分の環境への影響を削減するとともに、消費可能製品が消費し尽されている場合があるときに、無駄にされ得る浪費エネルギーの量を削減することが必要とされている。
【課題を解決するための手段】
【００１８】
本発明によれば、ディスペンサーへの電力送達を管理するためのシステムであって、
より低電力のゼロ正味電圧（ＺＮＶ）電力源に作動接続されたコントローラーであって、前記ＺＮＶ電力源をより高電圧の直流（ＨＶＤＣ）電力源に変換するための電力整流回路（ＰＲＣ）を有するコントローラーと、
前記ＨＶＤＣ電力源に作動接続された少なくとも１つのエネルギー蓄積システムであって、ＨＶＤＣ電力を受け取って該少なくとも１つのエネルギー蓄積システム内に蓄積するための少なくとも１つのエネルギー蓄積システムと、
前記少なくとも１つのエネルギー蓄積システムに作動接続されたディスペンサー負荷と、
を備える、ディスペンサーへの電力送達を管理するためのシステムが提供される。
【００１９】
１つの実施形態では、前記コントローラーは、ＨＶＤＣ電力を前記少なくとも１つのエネルギー蓄積システムに選択的に誘導して、前記少なくとも１つのエネルギー蓄積システムを充電する手段と、負荷需要に基づいて、前記少なくとも１つのエネルギー蓄積システムからの電力を前記ディスペンサー負荷に選択的に誘導する手段とを備える。
【００２０】
１つの実施形態では、前記エネルギー蓄積システムは、少なくとも１つのキャパシターを備える。
【００２１】
別の実施形態では、前記システムは、前記ＨＶＤＣ電力源に作動接続された補助電力セルであって、ＨＶＤＣ電力を受け取って、該補助電力セル内に蓄積するための補助電力セルを備え、前記コントローラーは、ＨＶＤＣ電力を、前記少なくとも１つのキャパシター及び前記補助電力セルのそれぞれに選択的に誘導して、前記少なくとも１つのキャパシター及び前記補助電力セルを充電する手段と、負荷需要に基づいて、前記少なくとも１つのキャパシター及び前記補助電力セルからの電力を前記ディスペンサー負荷に選択的に誘導する手段とを備える。
【００２２】
１つの実施形態では、前記コントローラーは、前記補助電力セルよりも前に、前記少なくとも１つのキャパシターからの前記ディスペンサー負荷への電力を優先する。
【００２３】
１つの実施形態では、前記コントローラーは、前記少なくとも１つのキャパシターと前記補助電力セルとの間に作動接続された少なくとも１つのスイッチであって、電力を前記少なくとも１つのキャパシター又は前記補助電力セルのいずれかに選択的に誘導して、前記少なくとも１つのキャパシター又は前記補助電力セルのいずれかを充電するための少なくとも１つのスイッチを備える。
【００２４】
別の実施形態では、前記コントローラーは、前記少なくとも１つのキャパシター及び前記補助電力セルに作動接続された電圧測定手段であって、前記少なくとも１つのキャパシター及び前記補助電力セルの前記電圧を測定する電圧測定手段を備え、前記コントローラーは、前記少なくとも１つのキャパシター及び前記補助電力セルの実際の測定電圧に基づいて、前記ＨＶＤＣ電力源から前記少なくとも１つのキャパシター又は前記補助電力セルへの電力送達を優先する。
【００２５】
別の実施形態では、前記コントローラーは、前記少なくとも１つのキャパシター及び前記補助電力セルの実際の測定電圧に基づいて、前記少なくとも１つのキャパシター及び前記補助電力セルから前記ディスペンサー負荷への電力送達を優先する。
【００２６】
１つの実施形態では、ディスペンサー負荷需要がないとき、前記コントローラーは、ＨＶＤＣ電力を前記少なくとも１つのキャパシター及び前記補助バッテリーのいずれかに誘導して、前記少なくとも１つのキャパシター及び前記補助バッテリーをトリクル充電する。
【００２７】
別の実施形態では、前記システムは、低電力直流（ＬＰＤＣ）電力源であって、該ＬＰＤＣ電力源をＺＮＶ電力源に変換するためのスイッチング回路に作動接続された、低電力直流電力源を更に備え、前記ＺＮＶ電力は、前記コントローラーに作動接続されている。
【００２８】
別の実施形態では、前記ＺＮＶ電力源は、等しいが逆の電圧の正及び負の交番電圧パルスを含み、前記システムは、前記スイッチング回路に作動接続されたデータ回路を更に備え、該データ回路内のデータは、該データ回路内のデータを表すより低い電圧を有する正及び負の交番電圧パルスとして、前記ＺＮＶ電力源の前記正及び負の交番電圧パルスに混合される。
【００２９】
更に別の実施形態では、前記コントローラーは、前記データパルスを解釈するための復号化回路を前記ＺＮＶ電力源内に備える。
【００３０】
１つの実施形態では、前記スイッチング回路及び前記ＬＶＤＣ電力源は、取り外し可能電気インターフェースを通じて前記コントローラーに接続可能な交換可能コンポーネントに作動接続されている。
【００３１】
１つの実施形態では、前記取り外し可能電気インターフェースは、前記交換可能コンポーネントと前記ディスペンサーとの間に非移動型電気接点を備える。１つの実施形態では、前記接点は、移動型接点である。
【００３２】
１つの実施形態では、前記補助電力セルは、再充電不能なバッテリーである。
【００３３】
１つの実施形態では、前記交換可能コンポーネントは、動作中に前記ディスペンサーに対して、並びに共同で該交換可能コンポーネント及び該ディスペンサーに対して移動し、前記システムは、該交換可能コンポーネント及び該ディスペンサーに作動接続されたエネルギー回収システムであって、前記少なくとも１つのエネルギー蓄積システム及び／又は前記補助電力セル内に運動エネルギーを取り込むためのエネルギー回収システムを含む。
【００３４】
別の態様では、本発明は、ディスペンサー負荷への電力送達を管理するとともに、ディスペンサーと該ディスペンサーの交換可能コンポーネントとの間の電気インターフェースを介して電力を転送するためのシステムであって、
前記交換可能コンポーネントに作動接続された交換可能コンポーネントコントローラー及び第１の電力セルであって、該交換可能コンポーネントコントローラーは、該第１の電力セルからの直流電力をゼロ正味電圧（ＺＮＶ）電力信号に変換するための電力反転回路（ＰＩＣ）を有する、交換可能コンポーネントコントローラー及び第１の電力セルと、
前記ディスペンサーに作動接続された、前記電気インターフェースを介して前記ＺＮＶ電力信号を受け取るための第１の回路であって、前記ＺＮＶ電力信号をより高電圧の直流（ＨＶＤＣ）電力に変換するための第１の回路と、
前記第１の回路に作動接続された、ＨＶＤＣ電力を受け取るための少なくとも１つの電力蓄積デバイスと、
前記第１の回路、前記少なくとも１つの電力蓄積デバイス、及びディスペンサー負荷に作動接続された第２のコントローラーであって、
ＨＶＤＣ電力を前記少なくとも１つの電力蓄積デバイスに選択的に誘導して、前記少なくとも１つの電力蓄積デバイスを充電する手段と、
前記少なくとも１つの電力蓄積デバイス内の蓄積された電力を前記ディスペンサー負荷に選択的に誘導する手段と、
を有する、第２のコントローラーと、
を備える、ディスペンサー負荷への電力送達を管理するとともに、ディスペンサーと該ディスペンサーの交換可能コンポーネントとの間の電気インターフェースを介して電力を転送するためのシステムを提供する。
【００３５】
本態様では、１つの実施形態は、前記第２のコントローラーに作動接続された補助電力セルを備え、前記第２のコントローラーは、ＨＶＤＣ電力を前記補助電力セルに選択的に誘導する手段を有する。
【００３６】
１つの実施形態では、前記少なくとも１つの電力蓄積デバイスは、キャパシターを備え、前記第２のコントローラーは、前記補助電力セルよりも前に、前記キャパシターからの前記ディスペンサー負荷への電力を優先する手段を備える。
【００３７】
別の実施形態では、前記第２のコントローラーは、前記キャパシターと前記補助電力セルとの間に作動接続された少なくとも１つのスイッチであって、電力を前記キャパシター又は前記補助電力セルのいずれかに選択的に誘導して、前記キャパシター又は前記補助電力セルのいずれかを充電するための少なくとも１つのスイッチを備える。
【００３８】
１つの実施形態では、前記第２のコントローラーは、前記キャパシター及び前記補助電力セルに作動接続された電圧測定手段であって、前記キャパシター及び前記補助電力セルの前記電圧を測定する電圧測定手段を備え、前記第２のコントローラーは、前記キャパシター及び前記補助電力セルの実際の測定電圧に基づいて、前記ＨＶＤＣ電力源から前記キャパシター又は前記補助電力セルへの電力送達を優先する。
【００３９】
１つの実施形態では、前記第２のコントローラーは、前記キャパシター及び前記補助電力セルの実際の測定電圧に基づいて、前記キャパシター及び前記補助電力セルから前記ディスペンサー負荷への電力送達を優先する。
【００４０】
１つの実施形態では、ディスペンサー負荷需要がないとき、前記第２のコントローラーは、ＨＶＤＣ電力を前記キャパシター又は前記補助バッテリーのうちの一方に選択的に誘導して、前記キャパシター又は前記補助バッテリーをトリクル充電する。
【００４１】
１つの実施形態では、前記ＺＮＶ電力源は、等しいが逆の電圧の正及び負の交番電圧パルスを含み、前記システムは、前記交換可能コンポーネントコントローラーに作動接続されたデータ回路を更に備え、該データ回路内からのデータは、該データ回路内のデータを表すより低い電圧を有する正及び負の交番電圧パルスとして、前記ＺＮＶ電力源の前記正及び負の交番電圧パルスに混合される。
【００４２】
１つの実施形態では、前記第２のコントローラーは、前記データパルスを解釈するための復号化回路を前記ＺＮＶ電力源内に備える。
【００４３】
更に別の態様では、本発明は、交換可能コンポーネント上の第１のエネルギー蓄積システムから第２のコンポーネント上の第２のエネルギー蓄積システムに、前記交換可能コンポーネントと前記第２のコンポーネントとの間の接触インターフェースを介して電力を転送するとともに、前記第２のコンポーネント上で、該第２のコンポーネントに対して構成された電気負荷に送達するための電力を管理する方法であって、
ａ）前記交換可能コンポーネント上のより低電圧の電力セルからの直流をゼロ正味電圧（ＺＮＶ）信号に反転するステップと、
ｂ）前記ＺＮＶ信号を前記接触インターフェースを介して前記第２のコンポーネントに転送するステップと、
ｃ）前記ＺＮＶ信号をより高電圧の直流（ＨＶＤＣ）電力に整流するステップと、
ｄ）前記ＨＶＤＣ電力を用いて前記第２のエネルギー蓄積システムを充電するステップと、
ｅ）ユーザー需要に基づいて、前記第２のエネルギー蓄積システムから前記電気負荷にエネルギーを解放するステップと、
を含む、交換可能コンポーネント上の第１のエネルギー蓄積システムから第２のコンポーネント上の第２のエネルギー蓄積システムに、前記交換可能コンポーネントと前記第２のコンポーネントとの間の接触インターフェースを介して電力を転送するとともに、前記第２のコンポーネント上で、該第２のコンポーネントに対して構成された電気負荷に送達するための電力を管理する方法を提供する。
【００４４】
１つの実施形態では、前記第２のエネルギー蓄積システムは、少なくとも１つのキャパシターと、第２の電力セルシステムとを備え、ステップｄは、前記第２の電力セルシステム又は前記第２のエネルギー蓄積システムを選択的に充電することを含む。
【００４５】
１つの実施形態では、ステップｄは、前記第２の電力セルシステムを充電する前に、前記少なくともキャパシターを充電することを優先することを含む。
【００４６】
１つの実施形態では、ステップｅは、前記少なくとも１つのキャパシターから前記電気負荷への電力の前記解放を優先することを含む。
【００４７】
１つの実施形態では、前記ＺＮＶ電力信号は、等しいが逆の電圧の正及び負の電圧パルスを含み、前記方法は、前記ＺＮＶ電圧に対してより低い電圧を有する正及び負の交番電圧データパルスとして、前記交換可能コンポーネント内のデータを前記ＺＮＶ電力源に混合するステップを更に含み、前記データパルスは、前記交換可能コンポーネント内のデータを表す。
【００４８】
１つの実施形態では、前記方法は、前記交換可能コンポーネントが前記第２のコンポーネントとの使用について認可されている場合、評価に備えて、前記第２のコンポーネント内で前記ＺＮＶ電力信号内のデータを復号化するとともに、そのデータを解釈するステップを更に含む。
【００４９】
１つの実施形態では、前記交換可能コンポーネントが、動作中に前記第２のコンポーネントに対して移動するとき、前記方法は、前記交換可能コンポーネントの運動エネルギーを前記第２のコンポーネント内において使用に備えて回収するステップを更に含む。
【００５０】
本発明を、以下の添付図面を参照して説明する。
【図面の簡単な説明】
【００５１】
【図１】側面図及び部分端面図を示す本発明の１つの実施形態による電子キー及び電力管理システムを有するペーパータオルディスペンサーの概略図である。
【図２】本発明の１つの実施形態による電気キー挿入の概略図である。
【図２Ａ】本発明の１つの実施形態によるペーパータオルロール上の電子キーの概略断面図である。
【図３】本発明の１つの実施形態による接続システムの概略図である。
【図４】本発明の１つの実施形態による整流ＩＯ復号化回路の概略図である。
【図５】本発明の１つの実施形態による負荷を駆動するための制御論理回路の概略図である。
【図６】ＩＤ＝０信号を示す本発明の１つの実施形態による消費可能カートリッジからの代表的な出力信号を示す図である。
【図６Ａ】ＩＤ＝０信号を示す本発明の１つの実施形態による消費可能カートリッジからの代表的な出力信号を示す図である。
【図７】ＩＤ＝１信号を示す本発明の１つの実施形態による消費可能カートリッジからの代表的な出力信号を示す図である。
【図７Ａ】ＩＤ＝１信号を示す本発明の１つの実施形態による消費可能カートリッジからの代表的な出力信号を示す図である。
【図８】１，０，１信号シーケンスを示す本発明の１つの実施形態による消費可能カートリッジからの代表的な出力信号を示す図である。
【図９】１，０，１信号シーケンスを示す本発明の１つの実施形態による消費可能カートリッジからの代表的な出力信号を示す図である。
【図１０】図８及び図９に示す信号シーケンスのための正味電荷バランスを示す図である。
【発明を実施するための形態】
【００５２】
図を参照して、消費可能製品カートリッジ等の製品ペアとディスペンシング装置との間で電力及びデータを効率的に転送するシステム及び方法を説明する。説明するシステム及び方法は、ディスペンシング機器内の電力源を交換するのに要する時間を最小にすることを含めて、これまでのシステムを上回る多数の動作上の利点を提供する。例示として、本発明を、主として、交換可能なペーパーカートリッジ又はロールを有するペーパータオルディスペンシングマシン内について説明する。しかしながら、本明細書において説明する技術は、石鹸ディスペンシング機器及び空気清浄機器等の化学薬品ディスペンシング機器を含む多くの異なる製品ペアに適用することができることが理解される。
【００５３】
図１は、本発明による様々なコンポーネントを示すペーパータオルロール１２を有するペーパータオルディスペンサー１０の概略図である。明確にするために、そのような製品に通常は関連付けられている機械駆動メカニズム及びカバーは省略されている。図示するように、このペーパータオルディスペンサーは、基部１０ｂに接続された２つの支持アーム１０ａを備える。これらのアームは、支持部１０ｃを備える。これらの支持部は、ペーパータオルロール１２の内部表面１２ａと係合し、ペーパータオルロール１２が中心軸の回りに回転することを可能にし、それによって、ユーザーからのディスペンシング要求に従って支持アームのうちの一方の内部にあるモーター駆動システム（図示せず）の動作に基づいてペーパータオルをペーパータオルロール１２から能動的に繰り出すことを可能にする。
【００５４】
電子キー、腐食のない電力転送及びディスペンサーの電子機器
本発明によれば、ペーパータオルロールは、ペーパータオルロール１２の一方の側部の内部コアに対して構成された電子キーシステム１４を備える。図２及び図２Ａに示すように、電子キーシステム１４は、電力セル１４ａ、電子キー回路１６、及び電気接点１４ｂ、１４ｃを備える。電子キーシステム１４は、好ましくは、ペーパータオルロールの内部表面１２ａにロックされ、電子キーシステムは、電子キー回路に損傷を与えるか、又は電子キー回路を非アクティブ状態にしなければ、ペーパータオルロールから取り外すことができないようになっている。ペーパータオルロール１２が、ディスペンサー１０内に設置されるとき、１つの実施形態では、電子キーシステム１４は、ディスペンサー１０内の対応するディスペンサー電子機器１８（図３）の動作範囲内に位置決めされる。電子キー回路１６は、とりわけ、キャパシター１６ａ、スイッチ１６ｃ、及び集積回路１６ｄ（例えば、ＡＳＩＣ（特定用途向け集積回路））を含み、これらの機能は、以下でより詳細に説明する。電子キー回路は、コイル１６ｂも含むことができる。
【００５５】
図３に概略的に示すように、ディスペンサー電子機器１８は、ディスペンサー支持アーム１０ａのうちの一方に対して構成され、電気接点１８ｂ、１８ｃ、コントローラー１８ｄ、及び補助電力セル１８ｅを備える。ペーパータオルロール１２がディスペンサー１０内に設置されるとき、電気接点１４ｂ、１４ｃは、対応する接点１８ｂ、１８ｃに接触する。１つの実施形態では、永久磁石１８ａがコイル１６ｂの動作範囲内にある。
【００５６】
キーデータ及びセキュリティ
好ましい実施形態では、電子キーシステム１４は、ディスペンサーを用いた消耗品の操作を可能にするデータを含む。例えば、電子キーシステムは、消費可能製品の真正性データ、消費可能製品の管轄コード及び／又は容量、数量、若しくはサイズのコードを含む識別データを含むことができる。電子キー回路１６は、或る容量又は数量の消耗品が消費し尽された後、及び／又は消費可能製品が消費し尽されたことを知らせる情報がディスペンサーによって受信された後、電子キーシステム１４に自己を非アクティブ化させるプログラムキーも含むことができ、それによって、電子キーシステムは、他のディスペンサーにおいて機能することができないように非アクティブ化される。
【００５７】
腐食のない電力転送及びディスペンサーの電子機器
一般に、設置されると、システムは、電力及びデータの双方を、ペーパータオルロール１４からディスペンサー１０に転送することを可能にし、ペーパータオルロールディスペンサーを動作させるとともに、認可データ等のデータをペーパータオルディスペンサーに提供する。
【００５８】
本発明によれば、電力セル１４ａからのＤＣ電力は、図６〜図９に示すとともに以下でより詳細に説明するように、ゼロ正味電圧（ＺＮＶ）又はパルス信号としてディスペンサーに転送される。重要なことに、ペーパータオルロールからの電力信号及びデータ信号は、動作中に電気接点間のゼロ正味電圧差を確保するために、正及び負の交番電圧信号として接点１４ｂ、１４ｃ、１８ｂ、１８ｃ間に転送される。以下でより詳細に説明するように、これは、対応する電気接点間に金属のネットマイグレーション（net migration）がないことを確保するのに重要である。このネットマイグレーションがある場合、電気接点の腐食が生じるおそれがある。ＺＮＶ信号は、パルスＤＣ信号だけでなくＡＣ信号も含むことができる。
【００５９】
消耗品の電子キー回路１６は、電力セル１４ａからのＤＣ電力を調整して、電力反転回路（ＰＩＣ）を通るＺＮＶ信号を生成する特定用途向け集積回路（ＡＳＩＣ）１６ｄ（又はマイクロコントローラー、若しくはアナログ及びデジタルの個別部品の組み合わせ）を備える。すなわち、ディスペンサーがアクティブ化され、ディスペンサーモーターが最初にオンにされたとき、ＡＳＩＣ１６ｄは、電子キー回路からディスペンサーへのＺＮＶ電力の転送を可能にするパルス波形（すなわち、ゼロ正味電圧を有する）を生成する。１つの実施形態では、ＡＳＩＣ１６ｄは、コイルを電力回路の内部及び外部へスイッチングするスイッチ１６ｃも制御する。この場合、ディスペンサーモーターが動作しているとき、スイッチ１６ｃは開放され、そのため、コイル１６ｂは、ディスペンサーモーターが動作しているとき、回路の外部となる。加えて、ディスペンサーモーターがオフになっているとき、ＡＳＩＣ１６ｄは、コイルを回路の内部へスイッチングすることができ、そのため、減速しているペーパータオルロールからの回転エネルギーが取り込まれ、キャパシター１６ａに蓄積されて用いられる。ＡＳＩＣ１６ｄは、電力セル１４ａからの電流の引き出しを監視するか、又は加速度計等の別の信号メカニズム（図示せず）を信号として利用して、スイッチ１６ｃを開閉することができる。すなわち、電流が引き出されており、それによって、ディスペンサーモーターが動作していることが信号で通知された場合、スイッチ１６ｃは開放される。１つの実施形態では、電流の引き出しが削減し、それによって、ディスペンサーモーターがオフであることが信号で通知されると、スイッチ１６ｃは閉鎖される。重要なことに、スイッチ１６ｃは、モーターが動作しているとき、開放しており、そのため、コイルは、磁石に対抗して動作していない。コイル１６ｂ、スイッチ１６ｃ、及びキャパシター１６ａは、本発明に必須のものではなく、特定のシステムにとって実際的であるか又は望ましい場合に、運動エネルギーを回復することができる追加のシステムとして実施することができることに留意すべきである。
【００６０】
ＡＳＩＣ１６ｄは、上記で説明したように、セキュリティの特徴も含むことができる。
【００６１】
図３〜図５を参照して、ディスペンサー１８内の電子キーシステム１４のインタラクション及び設計並びにディスペンサー回路の設計を説明する。重要なことに、電子キーシステム１４及びディスペンサー１８を組み合わせることによって、ａ）消費可能製品からの電力をディスペンサーに転送すること、及びｂ）同時に、これらの２つのコンポーネント間でＩＤ信号又はデータ信号を転送すること、が可能になる。重要なことに、この組み合わされたシステムは、これらのコンポーネント間の電気接点の腐食を長期間にわたって非常に確実に削減又は除去し続ける。加えて、電力信号及びＩＤ信号は、システムとインタラクトしているユーザーに遅延を引き起こさないように高速に転送されると同時に、電子キーとディスペンサーとの間に効果的なデータ通信ももたらされ、例えば、認可されていない消耗品がディスペンサーからディスペンスされることが防止される。
【００６２】
さらにまた、このシステムは、電力セル間での電力の効率的な転送を可能にする電力管理機能を提供し、この場合、断続的ではあるが、消耗し得る電力セルが瞬時に提供することが可能な電力密度要求よりも高い電力密度要求を有するディスペンサー回路に電力を効率的に提供する際に、消耗し得る電力セル内の相対的に低い電力密度が効果的である。１つの実施形態では、このシステムは、システム内の運動エネルギーを回収することも可能にする。
【００６３】
図３に概略的に示すように、ディスペンサーアーム１０ａを有するディスペンサーは、コントローラー１８ｄを有するディスペンサー回路１８を含む。このディスペンサー回路は、電子キー接点１４ｂ、１４ｃと接触する電気接点１８ｂ及び１８ｃを備える。ディスペンサー回路１８は、補助電力セル１８ｅ、及び電子キーコイル１６ｂ（オプション）とインタラクトするように位置決めされた永久磁石１８ａも備える。以下でより詳細に説明するように、これらのコンポーネントは、システム内の電力及び情報の効率的な管理を可能にするようにインタラクトする。
【００６４】
エネルギー管理システム
一般に、エネルギー管理システム（ＥＭＳ）は、システム内で利用可能な電力を効果的に管理するように設計される。より具体的には、ＥＭＳは、以下のことを可能にする。
ａ）交換可能なコンポーネントにおける１つ又は複数の電力セル内で利用可能とすることができる低電圧低電流の電力を、ディスペンシングモーター等のそれよりも高電圧高電流の用途に用いるためにステップアップすること、
ｂ）低電圧低電流の電力を、別個の電力蓄積デバイスを充電するために用いること、
ｃ）ディスペンシングシステムの全体的な効率性及び／又は寿命を高めるためにディスペンシングシステム内から運動エネルギーを取り込むこと、並びに
ｄ）電力信号からＩＤ信号を復号化及び分離すること。
【００６５】
図４は、ディスペンサー回路１８の１つの実施形態を示し、図５は、ディスペンサー回路内の整流復号化コントローラー（ＲＤＣ）２０を示している。特に、図４は、コントローラー１８（例えば、特定用途向け集積回路（ＡＳＩＣ）、マイクロコントローラー、又はアナログ及びデジタルの個別部品の組み合わせを有する）を示している。本明細書において説明する実施形態では、電力セル１４ａによって提供されるパルス電力は、ワイヤ１８ｂ、１８ｃを通ってコントローラー１８に進む。この説明では、ＡＳＩＣが説明され、このＡＳＩＣにおいて、パルス信号は１８ｂ、１８ｃに到達する。このパルス信号から、ＩＤ信号が復号化され、解釈を行うために出力２０ｇを介してＡＳＩＣ又は別個の回路（図示せず）に送信される。整流後、出力電力が、２０ｄ、２０ｅを通って提供され、キャパシター２２ｆ、２２ｇに蓄積することもできるし、負荷２２ｋに電力供給するのに用いることもできるし、補助電力セル１８ｅを再充電することもできる。電圧ステップアップは、例えば、電力セル１４ａの電圧を２倍〜４倍にすることができる。この場合、ＡＳＩＣは、電力が、キャパシターを充電するのに必要とされるのか又は補助バッテリーを再充電するのに必要とされるのかを判断する。電力の充電と、キャパシター及び補助電力セル１８ｅからの電力の解放との制御は、スイッチ２２ｊ、２２ｊ’、２２ｊ”、及び２２ｊ”’上でのＡＳＩＣの入力信号２２ｉによって制御される。例えば、エネルギーが利用可能であり、電力の需要がない場合、スイッチ２２ｊ、２２ｊ’、２２ｊ”、及び２２ｊ”’は、キャパシターを充電するために開放される。キャパシターが充電され、電力が利用可能であり、補助電力セルが電力を必要としている場合、スイッチ２２ｊ及び２２ｊ”は閉鎖され、スイッチ２２ｊ’及び２２ｊ”’は開放されて、電力がキャパシター及び補助電力セルに誘導される。電力を負荷２２ｋに誘導する信号が受信された場合、スイッチ２２ｊ、２２ｊ’、及び２２ｊ”’は閉鎖され、スイッチ２２”は開放され、そのため、電力は、キャパシターから優先的に引き出される。
【００６６】
キャパシターの充電度は、ＡＳＩＣが２２ｈを通じてキャパシターの電圧を測定することによって測定される。すなわち、スイッチ２２ｊ、２２ｊ’、２２ｊ”、及び２２ｊ”’の位置に関する決定を行うために、ＡＳＩＣは、キャパシター及び補助電力セルの両端の電圧をサンプリングする。キャパシターの電圧が補助電力セル１８ｅよりも高い場合、スイッチは、適切に位置決めされ、電力は、これらの蓄積キャパシターから負荷に送られる。キャパシターの両端の電圧が電力セル１８ｅよりも低い場合、電力は、電力セル１８ｅを介して送られる。したがって、この機能は、電力が、負荷に電力供給するのに常に利用可能であることを保証し、それゆえに、ユーザーにとって不快となり得るアクティブ化の際の遅延が防止される。さらに、コントローラー１８及び整流復号化回路２０（以下で説明する）を組み合わせることによって、消耗し得るバッテリーの低電流低電圧の電力を利用して、負荷需要がない間にキャパシターをトリクル充電すること又は充電電力を提供することが可能になる。上記事項はエネルギー管理システムの設計の１つの例であること、及び当業者によって理解されるように一般的な設計の変更を行うことができることにも留意すべきである。
【００６７】
整流復号化回路
図５を参照すると、図５は、ディスペンサーコントローラー１８内の整流復号化コントローラー（ＲＤＣ）２０を示している。図示するように、このＲＤＣは、整流回路２０ｃ及びＩＤ復号器２０ｄを備える。パルス電力信号、ＩＤ信号、及びコイルパルスは、１８ｂ及び１８ｃを通ってＲＤＣ内に入る。整流器２０ｃは、高効率ＭＯＳＦＥＴスイッチングタイプ又は類似のデバイスとすることができる。整流器２０ｃは、パルス信号を定常状態のＤＣ電圧及びＤＣ電流に変換する。例えば、３ボルト、５０ｍＡの電流信号をＲＤＣ２０に入力することができ、ＲＤＣは、６ボルト、２３ｍＡの出力（ほぼ９０％の変換効率）を２０ｅ、２０ｆを通じて提供する。特定のシステム用に設計することができるように、追加の電力調整を行って、電圧及び電流の容量を増減することができることに留意すべきである。
【００６８】
さらに、上述したように、キャパシター２２ｆ及び２２ｇのキャパシター電圧が、負荷２２ｋをアクティブ化するのに十分でない場合、ディスペンサー回路１８は、補助電力セル１８ｅを利用する。例えば、ディスペンサーが、短い期間内に多数のディスペンシング要求を受信した場合、キャパシターは、電力セル１４ａからの電力送達レートを所与として再充電する十分な時間を有しない場合がある。それゆえに、ディスペンサー回路１８は、補助電力セル１８ｅからの電力を利用することができる。電力セル１８ｅは、再充電可能なバッテリーとすることができ、その場合、システムが非アクティブであるとき、キャパシターを再充電することに加えて、補助電力セルを電力セル１４ａからの電力からトリクル充電することができる。一方、補助電力セル１８ｅは、再充電不能なバッテリーである場合もあり、その場合、コントローラー２０は、補助電力セル１８ｅからの電力の送達のみを可能にするようにスイッチを操作する。
【００６９】
好ましくは、補助電力セルは、消費可能製品が交換される時に十分に充電された状態にあるので、ディスペンサーの寿命の間、交換を必要としない。しかしながら、電力セル１４ａからの全ての電力が、消費可能製品が交換される時に補助電力セルに十分に転送されないシナリオが存在する。例えば、消費可能製品が十分に消費し尽くされる直前の短い期間内に複数のディスペンシング要求があり、消費可能製品が消費し尽くされた時にほぼ直ぐに交換された場合、補助電力セル１８ｅを十分に再充電するのに十分な時間がなかった場合がある。しかしながら、このシナリオを考慮するために、各消費可能製品内の電力セル１４ａは、好ましくは、新しい消費可能製品がシステム内に配置された後、補助電力セルを十分に充電することを可能にする少量の予備電力を有する。
【００７０】
上述したように、復号器回路は、電子キーからデジタル情報を抽出して解釈し、２０ｇを介して出力する。ＩＤ信号は、正しいタオル又は石鹸のタイプが設置されていることの確保、消耗品の使用期限が経過していないことの確保、及び上記で説明した他の機能等の複数の潜在的な用途に用いることができる。
【００７１】
電力セル１４ａから負荷への電力転送の全体的な効率は、好ましくは、９０％よりも大きい。
【００７２】
エネルギー回復
１つの実施形態では、ペーパータオルロールが、ディスペンスサイクル後に減速しながら回転して永久磁石１８ａを通過すると、スイッチ１６ｃは閉鎖され、そのため、電気インパルスが電子キー回路１６内に生成され、この電気インパルスは、キャパシター１６ａに蓄積される。例えば、キャパシター１６ｃの電圧が、サイクルの繰り返しの結果として十分に高いとき、ＡＳＩＣ１６ｄは、電力をディスペンサーに転送する際に用いられる蓄積された電力を利用可能にすることができる。このように、この実施形態では、システムは、磁石及びコイルがインタラクトし続けながら、ペーパーロールがディスペンシングサイクル後に減速するとき、回転するペーパータオルロールの運動量に含まれる運動エネルギーを回収することを可能にしている。
【００７３】
同様に、ＥＭＳは、ディスペンサーモーターシステムの運動量も回収してエネルギー蓄積システム内に蓄積することができるモーター制動もディスペンサー内に備えることができる。システムの伝動装置に応じて、コイルは、減速中に磁石を数回通過する場合があり、これは、時間とともに、有効な量の電力をシステムに返すことができる。いずれの場合も、少量ではあるが、ディスペンサーの寿命にわたってかなりの量の電力を回収することができ、この電力は、ディスペンシングシステムの全体的な効率を改善し、全体として、ディスペンサーバッテリーの交換の必要性を実質的に解消又は低減するのに用いることができる。
【００７４】
腐食防止
図６〜図１０に示すように、代表的な信号パターンが描かれている。図６及び図６Ａは、電力信号１００及びＩＤ信号１０２を含む、回路１６によって生成された２つの別個の信号を示している。電力信号１００は、電子キー１４の電力セル１４ａからディスペンサー回路１８に電力を転送し、ＩＤ信号１０２は、電子キーからディスペンサー回路１８にデータを転送する。電力信号１００は、図１０に示すように、電力が正味ゼロ電荷で転送されるような正及び負の交番電圧である。ＩＤ信号１０２も、正及び負の信号の順序を０又は１のいずれかとして解釈することができる正及び負の交番電圧信号である。
【００７５】
より具体的には、図６、図６Ａ、図７、及び図７Ａに示すように、電力信号は、矩形波として実線で示されているのに対して、ＩＤ信号１０２は、各電力信号間のタイムセパレーションにおいて破線で示されている。図６に示すように、０を表すＩＤ信号は、負のＩＤ信号及びその後に続く正のＩＤ信号によって表すことができるのに対して、図７に示すように、１は、正のＩＤ信号及びその後に続く負のＩＤ信号によって表すことができる。組み合わされた信号の波出力は、図６Ａ及び図７Ａに信号１０４として示されている。
【００７６】
図８及び図９は、１，０，１のＩＤシーケンスの代表的な信号を示し、図１０は、組み合わされた電力及びＩＤのシーケンスの総正味電荷が０であることを示している。電力及びＩＤの転送中の正味総電荷の効果は、電気接点間の金属マイグレーション及び腐食を防止し、そのため、システムは、より長い時間枠にわたって非常に効果的な電力及び信号の転送を実現する。これは、ディスペンサーの寿命にとって特に重要である。なぜならば、ディスペンサーの電気接点は、消費可能製品が交換されるときに交換されないからである。
【００７７】
上記説明は例示に過ぎないことに留意することは重要であり、当業者によって理解されるように、電力信号及びＩＤ信号は、異なる電圧パターン及び／又は信号パターンを用いて送信することができることが理解される。
【００７８】
他の消費可能製品及びディスペンサー
上記内容は、液体ディスペンサー（例えば、石鹸ディスペンサー）又は化学薬品ディスペンサー（例えば、エアロゾルフレグランスディスペンサー、又は化学薬品メンテナンスディスペンシング）を含む他のタイプのディスペンシングシステムにおいて実施することができる。これらの実施形態では、電子キーは、消費可能製品、例えば、ディスペンサー電子機器への作動接続用に設計された電子キーを有する液状石鹸の袋に対して構成されている。この場合、消費可能製品とディスペンサーとの間の接点は、互いのシステムに対して相対的に動く接点を必要とせず、一般に、上記で説明したようなエネルギー回収システムを備えていない。
【００７９】
本発明を、好ましい実施形態及びその好ましい使用に関して説明及び図示してきたが、当業者によって理解されるように、本発明の意図した完全な範囲内にある変更及び変形をそれらの実施形態及び使用において行うことができるので、本発明はそのように限定されるものではない。
【図１】
0006357671.tif 000002
【図２】
0006357671.tif 000003
【図２Ａ】
0006357671.tif 000004
【図３】
0006357671.tif 000005
【図４】
0006357671.tif 000006
【図５】
0006357671.tif 000007
【図６】
0006357671.tif 000008
【図６Ａ】
0006357671.tif 000009
【図７】
0006357671.tif 000010
【図７Ａ】
0006357671.tif 000011
【図８】
0006357671.tif 000012
【図９】
0006357671.tif 000013
【図１０】
0006357671.tif 000014